(57)【要約】【課題】本発明は、磁気治療器を回動させることによって、ダイオードが磁電流を発生し、それによって磁石の磁気流動を引き起こし、磁石が変動磁場を形成し、末梢神経を刺激し、血液の循環を良くして、脳を活性化することのできる磁気治療器を得るにある。【解決手段】収納部を本体に形成され、前記収納部にダイオードと永久磁石とを収納し、磁気治療器を回動もしくは振動させることによって、前記ダイオードが磁電流を発生し、前記永久磁石の磁気流動を引き起こすように形成された磁気治療器を構成している。【選択図】  図１
2005334586.tif 000002
【特許請求の範囲】
【請求項１】
収納部を本体に形成され、前記収納部にダイオードと永久磁石とを収納し、磁気治療器を回動もしくは振動させることによって、前記ダイオードが磁電流を発生し、前記永久磁石の磁気流動を引き起こすように形成され備えてなることを特徴とする磁気治療器。
【請求項２】
収納部を本体に形成され、この本体の上部に係合部が形成され、前記収納部にダイオードと永久磁石とを収納し、前記係合部と嵌合もしくは螺合するように係止部が形成された蓋体が形成され、磁気治療器を回動もしくは振動させることによって、前記ダイオードが磁電流を発生し、前記永久磁石の磁気流動を引き起こすように形成され備えてなることを特徴とする磁気治療器。
【請求項３】
収納部と開口部を本体に形成され、この本体の上部に係合部が形成され、前記収納部にダイオードと永久磁石とを収納し、前記係合部と嵌合もしくは螺合するように係止部が形成された蓋体にが形成され、磁気治療器を回動もしくは振動させることによって、前記ダイオードが磁電流を発生し、前記永久磁石の磁気流動を引き起こすように形成され備えてなることを特徴とする磁気治療器。
【請求項４】
収納部と開口部を本体に形成され、この本体の上部に係合部が形成され、前記収納部にダイオードと永久磁石とを収納し、前記係合部と嵌合もしくは螺合するように係止部が形成された蓋体に開口部が形成され、磁気治療器を回動もしくは振動させることによって、前期ダイオードが磁電流を発生し、前記永久磁石の磁気流動を引き起こすように形成され備えてなることを特徴とする磁気治療器。
【発明の詳細な説明】
【技術分野】
【０００１】    本発明は磁石の磁気流動を引き出し、磁力が変動磁場を形成して未梢神経を刺激し、血液の循環を良くし、脳を活性化することのできる磁気治療器に関する。
【背景技術】
【０００２】    従来、磁気の有効性が各分野において幅広く確認され、広く使用されている貼付用磁気治療器を血液の循環を良くし、脳を活性化するためにテープ上面に粘着された永久磁石を身体の経穴に貼付することが考えられている。【０００３】    しかしながら、従来の貼付用磁気治療器では、使用時においては磁石が粘着体に固定されままの状態で身体各部に粘着されており、磁石と皮膚とが密着した状態となるため、治療範囲や効能も自ずと限定されるといった欠点があった。さらに常に同じ磁力、および磁極が作用する静磁場が形成されるために、身体各部に一種のなれが生じ次第に血行促進等の効果が撲殺されるといった欠点があった。
【特許文献１】      特開  ２００１−３１５８３９
【特許文献２】      特開  ２００１−２７６２３５
【発明の開示】
【発明が解決しようとする課題】
【０００４】    本発明は以上のような従来の欠点に鑑み、手や足などを使って磁気治療器を回転させるか、もしくは磁気治療器を振動させることによってダイオードが磁電流を発生し、それによって磁石の磁気流動を引き起こし変動磁場を形成されるため、常に新鮮な状態で末梢神経を刺激するため、血液の循環を良くし、さらに脳を活性化させることを提供することを目的としている。【０００５】    本発明の前記ならびにそのほかの目的と新規な特徴は次の説明を添付図面と照らし合わせて読むと、より完全に明らかになるだろう。
ただし、図面はもっぱら解説のためのものであって、本発明の技術的範囲を限定するものではない。
【課題を解決するための手段】
【０００６】    上記目的を達成するために、本発明は収納部を本体に形成され、前記収納部にダイオードと永久磁石とを収納し、磁気治療器を回動もしくは振動させることによって、前記ダイオードが磁電流を発生し、前記永久磁石の磁気流動を引き起こすように形成された磁気治療器を構成している。
【発明の効果】
【０００７】    以上の説明から明らかなように、本発明にあっては次に列挙する効果が得られる。
（１）磁気治療器を回動もしくは振動させ使用することによって、ダイオードがバッテリーや乾電池などの電源を使用することなく磁電流を発生させることができ、これによって永久磁石の磁気流動を引き起こし変動磁場を形成することができる。【０００８】    （２）前記（１）によって、常に新鮮な状態で末梢神経を刺激するため、身体各部になれが生じることがなく、血液の循環を良くし、血行促進等の効果が最大限に生かすことができ、更に脳を活性化させることができる。【０００９】    （３）前記（１）によって、足の裏や土踏まずをも刺激することができ、その磁気作用により、一層血行を促進することができる。【００１０】    （４）前記（１）によって、手で磁器治療器を回動させることによって運動神経、運動中枢が刺激され、血行を高め、身体の細胞組織を活性化させて、手のリハビリテーション効果をも行うことができる。【００１１】    （５）請求項２も前記（１）〜（４）と同様な効果が得られる。【００１２】    （６）請求項３、請求項４も前記（１）〜（４）と同様な効果が得られると同時に、指輪としても使用することができ、指にはめた状態で、磁気治療器を振動させることによって、ダイオードがバッテリーや乾電池などの電源を使用することなく磁電流を発生することができ、これによって永久磁石の磁気流動を引き起こして変動磁場を形成して、指先の血管拡張、血行促進の効果を得ることができる。
【発明を実施するための最良の形態】
【００１３】    以下、図面に示す実施するための最良の形態により、本発明を詳細に説明する。【００１４】    図１ないし図６の第１の実施するための最良の形態において、１は本発明の磁気治療器で、２は合成樹脂、ステンレス、鉄などで球や円、多角形などで形成された本体で、この本体２の適宜な位置に収納部３を設け、この収納部３にダイオード４と永久磁石５を嵌入した状態で構成されている。【００１５】    上記構成の磁気治療器１は図５および図６にて示すように、足１０もしくは手１１によってこの磁気治療器１を回動、もしくは振動させ使用することによって、ダイオード４が磁電流を発生する。これにより永久磁石５磁気流動を引き起こし変動磁場が形成される。そのため常に新鮮な状態で末梢神経を刺激するため、血液の循環を良くし、脳を活性化させることができる。更に、足１０を使って磁器治療器１を回動させることによって、足１０の裏や土踏まずをも刺激することができ、その磁気作用により一層血行を促進することができる。次に、手１１を使って磁器治療器１を回動させるか、もしくは振動させることによって運動神経、運動中枢が刺激され、血行を高め、身体の細胞組織を活性化させて、手１１のリハビリテーション効果をも発揮することができる。
｛発明を実施するための異なる形態｝【００１６】    次に図７ないし図２２に示す本発明を実施するための異なる形態につき説明する。尚、これらの本発明を実施するための異なる形態の説明に当たって、前記本発明の第１の実施するための最良の形態と同一構成部分には同一符号を付して重複する説明を省略する。【００１７】    図７ないし図１４の本発明の第２の実施するための形態において、前記本発明の第１の実施するための最良の形態と主に異なる点は本体２の上部に係合部６が形成され、この係合部６と嵌合もしくは螺合するように係止部７が蓋体８に形成され、この蓋体８に形成された係止部７と前記本体２に形成された前記係合部６の嵌合もしくは螺合によって、容易に本体２と蓋体８が取り外れるないようにした点でこのように形成した磁気治療器１にしても、前記本発明の第１の実施するための最良の形態と同様な作用効果が得られる。【００１８】    図１５ないし図１８の本発明の第３の実施するための形態において、前記本発明の第２の実施するための形態と主に異なる点は、本体２に開口部９Ａ、を形成した点で、このように形成した磁気治療器１にすることにより、前記本発明の第２の実施するための形態と同様な作用効果が得られるとともに、指輪としても使用することができ、磁気治療器１を指１２にはめ、振動させることによって永久磁石が変動磁場を形成して、指先の血管拡張、血行促進効果がある。【００１９】    図１９ないし図２２の本発明の第４の実施するための形態において、前記本発明の第３の実施するための形態と主に異なる点は、蓋体９に開口部９Ｂを形成した点で、このように形成した磁気治療器１にすることにより、前記本発明の第３の実施するための形態と同様の作用効果が得られる。【００２０】    なお、前記の実施するための形態では、ダイオードと永久磁石に付いて説明したが、本発明はこれに限らずダイオードと永久磁石は何個使用しても良い。
【産業上の利用可能性】
【００２１】    本発明は磁器治療器を製造する産業で利用される。
【図面の簡単な説明】
【００２２】
【図１】本発明を実施するための最良の第１の形態の正面図
【図２】本発明を実施するための最良の第１の形態の正面図
【図３】本発明を実施するための最良の第１の形態の正面図
【図４】本発明を実施するための最良の第１の形態の正面図
【図５】本発明を実施するための最良の第１の形態の使用態様を示す正面図
【図６】本発明を実施するための最良の第１の形態の使用態様を示す斜視図
【図７】本発明を実施するための第２の形態の斜視図
【図８】本発明を実施するための第２の形態の斜視図
【図９】本発明を実施するための第２の形態の正面図
【図１０】本発明を実施するための第２の形態の正面図
【図１１】本発明を実施するための第２の形態の正面図
【図１２】本発明を実施するための第２の形態の正面図
【図１３】本発明を実施するための第２の形態の正面図
【図１４】本発明を実施するための第２の形態の正面図
【図１５】本発明を実施するための第３の形態の平面図
【図１６】本発明を実施するための第３の形態の正面図
【図１７】本発明を実施するための第３の形態の正面図
【図１８】本発明を実施するための第３の形態の使用態様を示す正面図
【図１９】本発明を実施するための第４の形態の平面図
【図２０】本発明を実施するための第４の形態の正面図
【図２１】本発明を実施するための第４の形態の正面図
【図２２】本発明を実施するための第４の形態の使用態様を示す正面図
【符号の説明】
【００２３】  １：磁気治療器                          ２：本体
３：収納部                              ４：ダイオード
５：永久磁石                            ６：係合部
７：係止部                              ８：蓋体
９：９Ａ、９Ｂ開口部                  １０：足
１１：手                                １２：指
【図１】
2005334586.tif 000003
【図２】
2005334586.tif 000004
【図３】
2005334586.tif 000005
【図４】
2005334586.tif 000006
【図５】
2005334586.tif 000007
【図６】
2005334586.tif 000008
【図７】
2005334586.tif 000009
【図８】
2005334586.tif 000010
【図９】
2005334586.tif 000011
【図１０】
2005334586.tif 000012
【図１１】
2005334586.tif 000013
【図１２】
2005334586.tif 000014
【図１３】
2005334586.tif 000015
【図１４】
2005334586.tif 000016
【図１５】
2005334586.tif 000017
【図１６】
2005334586.tif 000018
【図１７】
2005334586.tif 000019
【図１８】
2005334586.tif 000020
【図１９】
2005334586.tif 000021
【図２０】
2005334586.tif 000022
【図２１】
2005334586.tif 000023
【図２２】
2005334586.tif 000024